【手続補正書】
【提出日】平成26年10月30日(2014.10.30)
【手続補正１】
【補正対象書類名】特許請求の範囲
【補正対象項目名】全文
【補正方法】変更
【補正の内容】
【特許請求の範囲】
【請求項１】
対向する一対の母屋の各々を覆っている熱ブロック配列と、
対向する一対の母屋の間に及び、それを覆って固着される防湿部材であって、該防湿部材は、係合表面を有する各熱ブロック配列の間に延在し、該係合表面は、該防湿部材が各母屋頭部より下のレベルにおいて各母屋の間に及ぶように、各母屋の頭部を覆っている該防湿部材を保持する、防湿部材と、
該防湿部材の上側表面によって、および該熱ブロック配列の各々の対向する面の間に画定される断熱材受容空洞であって、該空洞は、断面が実質的に長方形である、断熱材受容空洞と
を備え、
該熱ブロック配列の該係合表面は、
該防湿部材を該母屋のウェブの上側部分に押し付ける内側垂直壁と、
該防湿部材を該母屋の平坦上部の上に押し下げる水平天井と、
該水平天井から延在し、かつ該内側垂直壁から離れた、外向きに角度の付いた壁であって、該外向きに角度の付いた壁は、該防湿部材を該母屋の正面リップの下に、それを覆って、およびそれより下方に保持する、外向きに角度の付いた壁と
を含む、システム。
【請求項２】
対向する一対の母屋の各々を覆っている熱ブロック配列と、
該対向する一対の母屋の間に及び、それを覆って固着される防湿部材であって、該防湿部材は、係合表面を有する各熱ブロック配列の間に延在し、該係合表面は、該防湿部材が各母屋頭部より下のレベルにおいて各母屋の間に及ぶように、各母屋の頭部を覆っている該防湿部材を保持する、防湿部材と、
該防湿部材の上側表面によって、および該熱ブロック配列の各々の対向する面の間に画定される断熱材受容空洞であって、該空洞は、断面が実質的に長方形である、断熱材受容空洞と、
ベアリング部材であって、該ベアリング部材は、該熱ブロック配列の上部に取付けられており、かつ、屋根クリップが該熱ブロック配列の上方に取付けられ、金属屋根構造の中へと継合されるように、締結具を受容および固着する材料から作成されている、システム。
【請求項３】
前記ベアリング部材は、金属を備える、請求項２に記載のシステム。
【請求項４】
前記ベアリング部材は、２つの下向きに延在する脚部を含み、該脚部は、前記熱ブロック配列の各側面を覆って下方に延在する、請求項３に記載のシステム。
【請求項５】
複数のスペーサブロックが、前記熱ブロック配列の上方の複数の屋根クリップの各々の間に設置される、請求項２に記載のシステム。
【請求項６】
各スペーサブロックは、
端面から外に延在する突出部を有する第１の端部と、
中央陥凹領域を有する第２の端部であって、該中央陥凹領域は、一連のスペーサブロックの中の別のスペーサブロックの突出部を受容するように適合されている、第２の端部と
を備える、請求項５に記載のシステム。
【請求項７】
前記複数のスペーサブロックは、各クリップにおいて継手を形成し、各継手は、第１のスペーサ端部からの突出部から形成され、該突出部は、クリップ開口部を通過し、次いで、次のスペーサブロックにおける陥凹の中に受容される、請求項５に記載のシステム。
【請求項８】
金属屋根の中に断熱材を提供する方法であって、
該方法は、
複数の母屋を覆うように防湿シートを掛けることと、
複数の熱ブロックの各々の底部を形成することであって、該底部の形成は、該熱ブロックが各母屋の上に載置されると、該防湿シートが該母屋の上部を覆うように押し下げられ、したがって、該母屋の間に断熱材受容領域を生成するように行われる、ことと、
該熱ブロックを該母屋の各々の上方に長手方向に載置することと、
複数のクリップを該熱ブロックの長さの上方におよびそれに沿って締結することと、
付加的ブロックを締結された各クリップの間に間隔を置いて配置することであって、該付加的ブロックの配置は、該付加的ブロックの対向する側方壁が該断熱材受容領域の上側部分を画定するように行われる、ことと、
断熱材を該断熱材受容領域の中へ敷設することと、
該付加的ブロックおよび断熱材の上方に載置された金属屋根構造の中へ該クリップを継合することと
を備える、方法。
【請求項９】
敷設されるタイプの断熱材として、バット断熱材を選択することを備える、請求項８に記載の方法。
【請求項１０】
前記断熱材を前記断熱材受容領域の中へ展開して該断熱材を設置することを備える、請求項９に記載の方法。
【請求項１１】
金属屋根を断熱するためのシステムであって、該金属屋根は、複数の母屋を有し、
該システムは、
該母屋の上方にある防湿シートと、
各母屋の上方に長手方向に位置する複数の熱ブロックであって、該熱ブロックは、断熱材受容領域が該母屋の間に形成されるように、該母屋を覆って嵌合して該防湿シートを押し下げるように構成されている、複数の熱ブロックと、
該熱ブロックを覆っているベアリング部材であって、該ベアリング部材の上に複数のクリップが締結具を用いて締結され、該締結具は、該締結具が該母屋の上部の中へ噛合し、該熱ブロックを押し下げ、それらの間に該防湿シートを挟むように設置される、ベアリング部材と、
該クリップの間に設置され、さらに該断熱材受容領域の生成に貢献する複数のスペーサブロックと、
該断熱材受容領域の各々の中に敷設される１片のバット断熱材と
を備え、該クリップは、複数片の断熱材および該スペーサブロックの上方に設置される金属屋根構造の中へと継合される、システム。
【手続補正２】
【補正対象書類名】明細書
【補正対象項目名】０００８
【補正方法】変更
【補正の内容】
【０００８】
前述および他の特徴ならびに利点は、添付図面（同一の参照文字は、異なる図を通して、同一部品を指す）に図示されるような好ましい実施形態のより具体的説明から明白となるであろう。図面は、必ずしも正確な縮尺ではない。要素のサイズは、明確にするために誇張され得る。
本発明は、例えば、以下を提供する。
（項目１）
一対の母屋の各々を覆っている熱ブロック配列と、
対向する一対の母屋の間に及び、それを覆って固着される防湿シートであって、該防湿シートは、各熱ブロック配列の下側に固着される、防湿シートと、
該防湿シートの上側表面によって、および該熱ブロック配列の各々の対向する面の間に画定されるバット断熱材受容空洞と
を備える、システム。
（項目２）
対向する一対の母屋の各々を覆っている熱ブロック配列と、
該対向する一対の母屋の間に及び、それを覆って固着される防湿部材であって、該防湿部材は、各熱ブロック配列の間に延在する、防湿部材と、
該防湿部材の上側表面によって、および該熱ブロック配列の各々の対向する面の間に画定される断熱材受容空洞であって、該空洞は、断面が実質的に長方形である、断熱材受容空洞と
を備える、システム。
（項目３）
上記熱ブロック配列の底部における開放領域は、係合表面を含み、該係合表面は、上記防湿部材が各母屋頭部より下のレベルにおいて各母屋の間に及ぶように、各母屋の頭部を覆っている該防湿部材を保持する、項目２に記載のシステム。
（項目４）
上記熱ブロック配列の上記係合表面は、
上記防湿部材を上記母屋のウェブの上側部分に押し付ける内側垂直壁と、
該防湿部材を該母屋の平坦上部の上に押し下げる水平天井と、
外向きに角度の付いた壁であって、該壁は、該防湿部材を該母屋の正面リップの下に、それを覆って、およびそれより下方に保持する、外向きに角度の付いた壁と
を含む、項目３に記載のシステム。
（項目５）
ベアリング部材が、上記熱ブロック配列の上部に取付けられ、該ベアリング部材は、屋根クリップが該熱ブロック配列の上方に取付けられ、金属屋根構造の中へと継合されるように、締結具を受容および固着する材料から作成される、項目３に記載のシステム。
（項目６）
上記ベアリング部材は、金属を備える、項目５に記載のシステム。
（項目７）
上記ベアリング部材は、２つの下向きに延在する脚部を含み、該脚部は、上記熱ブロック配列の各側面を覆って下方に延在する、項目６に記載のシステム。
（項目８）
複数のスペーサブロックが、上記熱ブロック配列の上方の複数の屋根クリップの各々の間に設置される、項目５に記載のシステム。
（項目９）
各スペーサブロックは、
端面から外に延在する突出部を有する第１の端部と、
中央陥凹領域を有する第２の端部であって、該中央陥凹領域は、一連のスペーサブロックの中の別のスペーサブロックの突出部を受容するように適合されている、第２の端部と
を備える、項目８に記載のシステム。
（項目１０）
上記複数のスペーサブロックは、各クリップにおいて継手を形成し、各継手は、第１のスペーサ端部からの突出部から形成され、該突出部は、クリップ開口部を通過し、次いで、次のスペーサブロックにおける陥凹の中に受容される、項目８に記載のシステム。
（項目１１）
金属屋根の中に断熱材を提供する方法であって、
該方法は、
複数の母屋を覆うように防湿シートを掛けることと、
複数の熱ブロックの各々の底部を形成することであって、該底部の形成は、該熱ブロックが各母屋の上に載置されると、該防湿シートが該母屋の上部を覆うように押し下げられ、したがって、該母屋の間に断熱材受容領域を生成するように行われる、ことと、
該熱ブロックを該母屋の各々の上方に長手方向に載置することと、
複数のクリップを該熱ブロックの長さの上方におよびそれに沿って締結することと、
付加的ブロックを締結された各クリップの間に間隔を置いて配置することであって、該付加的ブロックの配置は、該付加的ブロックの対向する側方壁が該断熱材受容領域の上側部分を画定するように行われる、ことと、
断熱材を該断熱材受容領域の中へ敷設することと、
該付加的ブロックおよび断熱材の上方に載置された金属屋根構造の中へ該クリップを継合することと
を備える、方法。
（項目１２）
敷設されるタイプの断熱材として、バット断熱材を選択することを備える、項目１１に記載の方法。
（項目１３）
上記断熱材を上記断熱材受容領域の中へ展開して、該断熱材を設置することを備える、項目１２に記載の方法。
（項目１４）
金属屋根を断熱するためのシステムであって、該金属屋根は、複数の母屋を有し、
該システムは、
該母屋の上方にある防湿シートと、
各母屋の上方に長手方向に位置する複数の熱ブロックであって、該熱ブロックは、断熱材受容領域が該母屋の間に形成されるよう、該母屋を覆って嵌合し、該防湿シートを押し下げるように構成される、複数の熱ブロックと、
該熱ブロックを覆っているベアリング部材であって、該ベアリング部材の上に複数のクリップが締結具を用いて締結され、該締結具は、該締結具が該母屋の上部の中へ噛合し、該熱ブロックを押し下げ、それらの間に該防湿シートを挟むように設置される、ベアリング部材と、
該クリップの間に設置され、さらに該断熱材受容領域の生成に貢献する複数のスペーサブロックと、
該断熱材受容領域の各々の中に敷設される１片のバット断熱材と、
を備え、該クリップは、複数片の断熱材および該スペーサブロックの上方に設置される金属屋根構造の中へと継合される、システム。